(57)【特許請求の範囲】
【請求項１】
薄明視状態下で領域を照明するための照明装置において、
５００−５２５ｎｍの範囲を有する第１の波長領域で実質的にモノクロ光を放射する１以上のＬＥＤと、
６００−６４０ｎｍの範囲を有する第２の波長領域で実質的にモノクロ光を放射する１以上のＬＥＤとを具備し、
それらのＬＥＤは使用において、照明装置により第１の波長領域で前記ＬＥＤによって放射された光の波長と光強度、および第２の波長領域で前記ＬＥＤによって放射された光の波長と光強度に帰して与えられる光が２よりも大きく３．７よりも小さいＳ／Ｐ比を有するように構成されている照明装置。
【請求項２】
照明装置は２．３よりも大きいＳ／Ｐ比を有している請求項１記載の照明装置。
【請求項３】
照明装置は２．５よりも大きいＳ／Ｐ比を有している請求項１記載の照明装置。
【請求項４】
使用において第１の波長領域で放射された光と第２の波長領域で放射された光との組合せは０．２９０と０．３３０との間の色度のｘ座標と０．５５０と０．５９０との間の色度のｙ座標を有する光を生成する請求項１乃至３のいずれか１項記載の照明装置。
【請求項５】
使用において、第１の波長領域で放射された光と第２の波長領域で放射された光との組合せは０．３８５と０．４２５との間の色度のｘ座標と０．４９０と０．５３０との間の色度のｙ座標を有する光を生成する請求項１乃至３のいずれか１項記載の照明装置。
【請求項６】
使用において、第１の波長領域で放射された光の光強度と第２の波長領域で放射された光の光強度との比は３：２である請求項１乃至３のいずれか１項記載の照明装置。
【請求項７】
使用において、第１の波長領域で放射された光の光強度は第２の波長領域で放射された光の光強度に等しい請求項１乃至３のいずれか１項記載の照明装置。
【請求項８】
装置はさらに第３の波長領域で実質的にモノクロの光を放射する１以上のＬＥＤを具備している請求項１記載の照明装置。
【請求項９】
第３の波長領域は４６０−４９０ｎｍの範囲を有する請求項８記載の照明装置。
【請求項１０】
使用において、第１の波長領域で放射された光と第２の波長領域で放射された光と第３の波長領域で放射された光との組合せは０．２２０と０．２６０との間の色度のｘ座標と０．３００と０．３４０との間の色度のｙ座標を有する光を生じる請求項８または９記載の照明装置。
【発明の詳細な説明】
【技術分野】
【０００１】
本発明は薄明視状態下で照明するための照明装置に関する。
【背景技術】
【０００２】
公共の照明、例えば街路照明、公園、駐車場、庭の照明に使用されている照明、非常用照明は現在広く使用されているように好ましい雰囲気を提供する方法で関連領域を照明するように設計されている。公共の照明用の通常の光源は白熱灯、蛍光灯、その他の放電ランプを含んでいる。
【０００３】
最近、非常に高い輝度、即ち束／ｍｍ２に関して非常に高密度のＬＥＤ源を使用する別の低エネルギ設計が開発されている。この開発は白色光を発生するＬＥＤに焦点を置いている。白色光はその後、青色ＬＥＤと適切な蛍光体により放射される光との間に相互作用を構成することによって形成される。
【０００４】
通常のランプと蛍光体と組合された青色ＬＥＤに基づく白色ＬＥＤの両者は減少された光レベル、即ちいわゆる薄明視光状態下では人間の眼に関して最適に設計されていない。
【０００５】
人間の眼は２つのタイプの光受容体を有している。錐体と呼ばれる光受容体の第１のタイプは昼間視力で使用される。桿状体と呼ばれる光受容体の第２のタイプは錐体を伴って減少された光レベルでの視力で使用される。昼間の光レベルでは通常、錐体が桿状体を抑圧する。したがって錐体だけが使用される。しかしながら光レベルが減少されるならば、錐体の優勢度は低下する。後者の状況下では桿状体が優勢になる。
【０００６】
国際特許出願第WO2006/132533号明細書では、通常の公共照明と比較して改良された視界を与える照明装置が記載されている。その照明装置は第１の波長領域の光と第２の波長領域の光を放射するように設計されている。この照明装置はさらに人間の眼の感度が桿状体により支配される方法で第１の波長領域から主波長を有する光を発生するように設計されている。WO2006/132533号明細書に記載されている照明装置は低強度での視覚を改良できるが、さらに改良が望まれている。
【発明の概要】
【０００７】
本発明の目的は、領域を照射し特に薄明視の光状態下で改良された視覚を与える照明装置を提供することである。
【０００８】
この目的に対して、本発明の１実施形態は、薄明視状態下で領域を照明するための照明装置を提供し、これは、
第１の波長領域で実質的にモノクロ光を放射する１以上のＬＥＤと、
第２の波長領域で実質的にモノクロ光を放射する１以上のＬＥＤとを具備し、
それによって使用において、照明装置により与えられる光は２．０よりも大きいＳ／Ｐ比を有する。薄明視光状態下では、提案されているような照明装置の実施形態により照明されるときの周辺視界の知覚は、照明装置のＳ／Ｐ比が２．０よりも大きいならば、１．５のＳ／Ｐ比を有する通常のランプによる照射時に受ける周辺視界の知覚の約２倍であることが発見されている。
【０００９】
本発明のさらに別の実施形態では、照明装置は２．３よりも大きい、或いは２．５よりも大きいＳ／Ｐ比を有することができる。このような実施形態では、周辺視界をさらに強化することが実現されることができる。
【００１０】
１実施形態では、第１の波長領域は５００−５２５ｎｍの範囲を有し、第２の波長領域は６００−６２５ｎｍの範囲を有する。このような実施形態では、前述した周辺の視界の重複が得られる可能性がある。
【００１１】
別の実施形態では、第１の波長領域は５００−５２５ｎｍの範囲を有し、第２の波長領域は６００−６４０ｎｍの範囲を有する。このような実施形態では前述した周辺の視界をさらに改良することができる。
【００１２】
１実施形態では、使用において第１の波長領域で放射された光と第２の波長領域で放射された光との組合せは０．２９０と０．３３０との間の色度のｘ座標と０．５５０と０．５９０との間の色度のｙ座標を有する光を生じる。
【００１３】
別の実施形態では、使用において第１の波長領域で放射された光と第２の波長領域で放射された光との組合せは０．３８５と０．４２５との間の色度のｘ座標と０．４９０と０．５３０との間の色度のｙ座標を有する光を生じる。
【００１４】
１実施形態では、使用時に第１の波長領域で放射された光の光強度と第２の波長領域で放射された光の光強度の比は３：２である。
【００１５】
別の実施形態では、使用において第１の波長領域で放射された光の光強度は第２の波長領域で放射された光の光強度に等しい。
【００１６】
本発明の実施形態では、Ｓ／Ｐ比は３．７よりも小さくてもよい。３．７よりも小さいＳ／Ｐ比を有する照明装置により放射された光は通常幾つかの応用では十分に好ましいと考えられている。
【００１７】
本発明の実施形態では、照明装置はさらに第３の波長領域で実質的にモノクロの光を放射する１以上のＬＥＤを具備している。第３の波長領域は４６０−４９０ｎｍの範囲を有することができる。さらに別の実施形態では、使用において第１の波長領域で放射された光と第２の波長領域で放射された光と第３の波長領域で放射された光との組合せは０．２２０と０．２６０との間の色度のｘ座標と０．３００と０．３４０との間の色度のｙ座標を有する光を生じる。
【図面の簡単な説明】
【００１８】
【図１】人間の視覚におけるスペクトル視感度を表す曲線の概略図である。
【図２】本発明による照明装置の第１の実施形態および第２の実施形態の概略平面図である。
【図３】図２Ａと２Ｂに示されているような照明装置の概略側面図である。
【図４】図２Ａと２Ｂに概略的に示されている照明装置の波長の関数としてのＳ／Ｐ比のグラフである。
【図５】本発明による照明装置の第３の実施形態の概略平面図である。
【図６】図５に概略的に示されている照明装置の一部により発生されるルーメンの関数としてのＳ／Ｐ比のグラフである。
【図７】図５に概略的に示されている照明装置の一部により発生されるルーメンの関数としての演色評価数のグラフである。
【図８】ＣＩＥ1931の色空間の色度図である。
【図９】本発明の実施形態に使用するのに適している第１のタイプのハウジングの概略図である。
【図１０】本発明の実施形態に使用するのに適している第２のタイプのハウジングの概略図である。
【発明を実施するための形態】
【００１９】
本発明のさらに別の特徴および利点は添付図面を参照して認識されよう。  
以下は例示により与えられ図面を参照している本発明の複数の実施形態の説明である。
【００２０】
図１は人間の視覚におけるスペクトル視感度を表す曲線を概略的に示している。左側の曲線は暗所視曲線と呼ばれる。右側の曲線は明所視曲線と呼ばれる。
【００２１】
明所視は明るい状態下における人間の眼の視覚として規定されることができる。明所視では、人間の眼の錐体が使用される。
【００２２】
明所視曲線は大規模な検査の結果であり、波長の関数として明るい状態下での「標準的な観察者」についての人間の眼の感度を示している。各波長で、標準的な観察者の感度の相対値、即ちその波長における比視感度Ｖ（λ）が割当てられる。明所視の最大の感度は５５５ｎｍの波長において６８３ルーメン／Ｗである。Ｖ（λ）の値は５５５ｎｍにおいて１として指定され、可視スペクトルの最後ではゼロまで減少する。
【００２３】
暗所視曲線は波長の関数として薄暗い状態下での人間の眼のモノクロ視覚として規定される。暗所視は人間の眼の桿状体により支配されている。
【００２４】
暗所視曲線も大規模な検査の結果であり、波長の関数として薄暗い状態下での標準的な観察者についての人間の眼の感度を示している。各波長で、比視感度Ｖ’（λ）と呼ばれる標準的な観察者の感度の相対値が割当てられる。Ｖ’（λ）の値は５０７において１として指定され、明所視曲線と類似の方法で減少する。
【００２５】
照明の技術分野を通して使用される単位「ルーメン」は図１に概略的に示されているように、暗所視曲線のピーク値の調節により明所視曲線と暗所視曲線の交差が５５５ｎｍで６８３ルーメン／Ｗの同じ比視感度をそれぞれ有するように規定されている。
【００２６】
本発明の実施形態は特に薄明視状態下での使用に適している。薄明視は中間の照明状態、即ち０．０１−３ｃｄ／ｍ２における明所視と暗所視の組合せに関する。表現「Ｃｄ」は５４０ＴＨｚの周波数のモノクロ放射を放射し、単位ステラジアン当り１／６８３のその方向での放射強度を有するソースの所定方向における輝度強度として規定されるカンデラを表している。
【００２７】
この説明を通して、表現Ｓ／Ｐ比が使用される。Ｓ／Ｐ比は暗所視比視感度Ｖ’（λ）と明所視比視感度Ｖ（λ）との間の比を指している。
【００２８】
図２の（Ａ）は本発明による照明装置の第１の実施形態の概略的平面図を示している。照明装置は共通の基板４に取付けられた発光ダイオード２のアレイ１を具備している。アレイ１は６個のシアン／緑色ＬＥＤ６と２個のアンバー／赤色ＬＥＤ８とを具備している。
【００２９】
図２の（Ｂ）は本発明による照明装置の第２の実施形態の平面図を概略的に示している。照明装置は共通の基板４に取付けられた発光ダイオード２のアレイ１を具備している。アレイ１は６個のシアン／緑色ＬＥＤ６と４個のアンバー／赤色ＬＥＤ８とを具備している。
【００３０】
ＬＥＤ６、８は通常使用されているものと同じであり、それぞれ第１および第２の波長領域において実質的にモノクロ光を放射する。それぞれのＬＥＤ６、８についての波長の適切な選択は図４を参照してより詳細に説明するように、図２の（Ａ）と（Ｂ）に示されているアレイを具備する照明装置により与えられる光が２よりも大きいＳ／Ｐ比を有するようにされることができる。
【００３１】
図３は図２の（Ａ）と（Ｂ）に示されているように照明装置の側面図を概略的に示している。図２に示されているように、ＬＥＤ２はエポキシ樹脂材料のカプセル３によりそれぞれカバーされることができる。各カプセル３は実質的に半球形であり、それ故、光はその表面に垂直な平面分散パターンで放射され、光の大きな屈折または集束は生じない。放射された光はその後例えば約１５０゜の固体角度を有するほぼ均一な円錐パターンを発生する。示されていないが、全てのＬＥＤ２の共通のカプセルも使用されることができることが理解されるであろう。
【００３２】
図４はさらに緑色／シアンＬＥＤと呼ばれる５０７ｎｍの波長を有するモノクロ光を放射する１以上のＬＥＤと、さらにアンバー／赤色ＬＥＤとして呼ばれる前述の第２の波長領域の光を放射する１以上のＬＥＤを具備する照明装置についての波長の関数としてのＳ／Ｐ比のグラフを示している。このグラフはさらに照明装置のＳ／Ｐ比がシアン／緑色ＬＥＤにより放射される光強度とアンバー／赤色ＬＥＤにより放射される光の光強度との間の異なる比に対してアンバー／赤色ＬＥＤの波長に基づく態様を示している。アンバー／赤色ＬＥＤにより放射される光の波長におけるＳ／Ｐ比の類似した依存性が、５０７ｎｍとは異なる緑色／シアンＬＥＤの波長、即ち以下さらに詳細に説明する第１の波長領域に位置される波長について示されることができることを理解しなければならない。
【００３３】
図４のグラフは３つの異なる光強度比を示している。点線は緑色／シアンＬＥＤにより放射される光の強度とアンバー／赤色ＬＥＤにより放射される光の強度との間の比が３：１に等しい照明装置に対応している。ＬＥＤ当りの強度が前述の緑色／シアンＬＥＤとアンバー／赤色ＬＥＤで等しい場合、照明装置は図２の（Ａ）に概略的に示されているようなＬＥＤのアレイに対応できる。
【００３４】
破線は緑色／シアンＬＥＤにより放射される光の強度とアンバー／赤色ＬＥＤにより放射される光の強度との間の比が３：２に等しい照明装置に対応している。ＬＥＤ当りの強度が前述の緑色／シアンＬＥＤとアンバー／赤色ＬＥＤで等しい場合、照明装置は図２の（Ｂ）に概略的に示されているようなＬＥＤのアレイに対応できる。
【００３５】
最後に、実線は緑色／シアンＬＥＤにより放射される光の強度とアンバー／赤色ＬＥＤにより放射される光の強度との間の比が１：１に等しい照明装置に対応している。ＬＥＤ当りの強度が前述の緑色／シアンＬＥＤとアンバー／赤色ＬＥＤで等しい場合、照明装置は等しい数のシアン／緑色ＬＥＤとアンバー／赤色ＬＥＤを有するＬＥＤのアレイに対応する。
【００３６】
図４に示されているグラフから演繹されるように、本発明の１実施形態による照明装置のＳ／Ｐ比はアンバー／赤色ＬＥＤの実質的にモノクロの波長が増加するときに増加する。さらに、シアン／緑色ＬＥＤにより放射される光の光強度がアンバー／赤色ＬＥＤにより放射される光の光強度と比較して増加するならば、より大きなＳ／Ｐ比が得られる。
【００３７】
さらに、図４のグラフに概略的に示されている関係はフレキシブルな方法で予め定められたＳ／Ｐ比で照明装置を設計することが可能であることを示している。アンバー／赤色ＬＥＤの波長と、シアン／緑色ＬＥＤの放射されたパワーまたは光強度とアンバー／赤色ＬＥＤの放射されたパワーまたは光強度との間の比の慎重な選択は予め定められた所望のＳ／Ｐ比を有する照明装置を開発するのに十分である。
【００３８】
薄明光の状態下で、提案されているような照明装置の実施形態により照明されるときの周辺視界の知覚は、照明装置のＳ／Ｐ比が２．０よりも大きいならば、１．５のＳ／Ｐ比を有するメタルハライドまたはハロゲンのような通常のランプ手段による照明で受ける周辺視界の知覚の約２倍であることが発見されている。１実施形態では、前述の周辺視界を２倍にするのはシアン／緑色ＬＥＤの５００−５２５ｎｍの波長範囲とアンバー／赤色ＬＥＤの５６０−６２５ｎｍの波長範囲をそれぞれ選択することにより得られることができる。
【００３９】
さらに、周辺視界の強化は、１以上のアンバー／赤色ＬＥＤに選択された波長が増加される場合に実現されることができる。この目的では、本発明による照明装置の実施形態は２．３よりも大きいか、または２．５よりも大きいＳ／Ｐ比を有するように設計されている。１実施形態では、シアン／緑色ＬＥＤの５００−５２５ｎｍの波長範囲とアンバー／赤色ＬＥＤの６００−６４０ｎｍの波長範囲をそれぞれ選択することにより前述した周辺視界の改良が得られる。
【００４０】
好ましくは、薄暗い照明状態下、即ち薄明視状態下での人間の眼に関して最適化されることに加えて、庭、駐車場、街路、地下室は好ましい光を放射するように構成される。本発明の実施形態による照明装置のＳ／Ｐ係数がある値を超えて上昇することは照明装置により放射される光に露出された人が不快に感じる状態を生じる可能性がある。さらに、高いＳ／Ｐ比では、コントラストの知覚も減少する。
【００４１】
３．７よりも小さいＳ／Ｐ比を有する本発明の実施形態は十分なコントラストに対するの感度を維持しながら薄明視状態下で改良された視界を得ることが発見されている。さらに、３．７よりも小さいＳ／Ｐ比を有する照明装置により放射される光は通常、幾つかの応用では十分に好ましいと考えられている。
【００４２】
図５は本発明による照明装置の第３の実施形態の平面図を概略的に示している。照明装置は共通の基板４上に取付けられた発光ダイオード２のアレイを具備しており、アレイ１は３つのタイプのＬＥＤを具備している。この実施形態では６個のシアン／緑色ＬＥＤ６と示されている実施形態では３個のアンバー／赤色ＬＥＤ８に加えて、アレイ１はさらに１個の青色ＬＥＤ10を具備している。
【００４３】
青色ＬＥＤ10は第３の波長範囲のモノクロ光を実質的に放射する。第３の波長領域は４６０−４９０ｎｍの範囲を有することができる。青色ＬＥＤ10の付加はＳ／Ｐ比および、いわゆる照明装置の演色評価数（ＣＲＩ）における影響を有し、これについてはそれぞれ図６と７に関して詳細に説明する。
【００４４】
図６は図５に概略的に示されている照明装置の一部により発生されたルーメンの関数としてのＳ／Ｐ比のグラフを示している。特に図６のグラフは青色ＬＥＤにより発生されたルーメンの関数としてのＳ／Ｐ比を示している。例えば４６０−４９０ｎｍの範囲の実質的にモノクロの光の青色ＬＥＤからのルーメンの付加は照明装置のＳ／Ｐ比を増加することが容易に分かる。
【００４５】
図７は図５に示されている、即ち青色ＬＥＤが位置されている照明装置の一部により発生されるルーメンの関数としてのＣＲＩのグラフを示している。ＣＲＩは個々の色を正確にレンダリングするランプの能力の数的指示である。これは標準的なスペクトル分布とランプのスペクトル分布との比較により設定される。この場合、ＣＲＩを決定するために取られる標準的なスペクトル分布は昼間の空の光に存在するスペクトル分布である。例えば４６０−４９０ｎｍの範囲の実質的にモノクロの光の青色ＬＥＤからのルーメンの付加は照明装置のＣＲＩを増加することが容易に認められる。
【００４６】
図８はＣＩＥ1931の色空間の色度図を示している。外側の曲線の境界はいわゆるスペクトルローカスであり、波長はナノメートルで示されている。本発明の実施形態が特に、ＣＩＥ1931の色空間の色度図内のある領域に対応する色を有する光を発生するのに適していることを実験が示している。
【００４７】
左下から右上まで延びるハッチの領域により示されている第１の領域は照明装置に関し、使用において、第１の波長領域の放射光と第２の放射領域の放射光の組合せは０．２９０と０．３３０との間の色度ｘ座標と、０．５５０と０．５９０との間の色度ｙ座標とを有する光を生じる。この光は色が緑を帯びており、任意の基準ランプなしに環境で最適な暗視を提供する。眼の適合は白色光の知覚を生じる。
【００４８】
右下から左上まで延びるハッチの領域により示されている第２の領域は照明装置に関し、使用において、第１の波長領域の放射光と第２の放射領域の放射光の組合せは０．３８５と０．４２５との間の色度ｘ座標と、０．４９０と０．５３０との間の色度ｙ座標とを有する光を生じる。この光は良好な暗視を有する緑−黄の色であり、温白色を有するとして知覚される。ティントは他のランプを有する領域で良好に適合する。
【００４９】
最後に、斜交差ハッチの領域により示されている第３の領域は照明装置に関し、使用において、第１の波長領域の放射光と第２の放射領域の放射光の組合せは０．２２０と０．２６０との間の色度ｘ座標と、０．３００と３４０との間の色度ｙ座標とを有する光を生じる。この色は月光に近くなり、青みを帯びる白色として知覚される。
【００５０】
図９は本発明の実施形態に適合するのに適した第１のタイプの照明装置100を概略的に示している。この装置100では、１対のＬＥＤアレイ101（それらのうちの一方だけが図に示されている）、例えば図２Ａと２Ｂに示されているようなＬＥＤアレイはハウジング105中の１対の反射器装置103（それらのうちの一方だけが図示されている）に対向して取付けられている。さらにハウジング105は反射性の外側面107を有することができる。ＬＥＤアレイ101はＬＥＤにより発生される熱が正確に除去されることを確実にするためヒートシンク上に取付けられることができる。
【００５１】
さらに、装置100は照明装置、即ちＬＥＤアレイ101とハウジング105をカバーするキャップ109を具備している。キャップ109と組合わせたハウジング105は実効的に密封された装置を形成する。照明装置100は図９に示されているように街路または通路の片側に位置されるように設計され、反射角度を付けられた外側面107は街路の幅を横切って側方へ光が投光されることを可能にする。
【００５２】
図１０は本発明の実施形態に適合するのに適した第２のタイプの照明装置200を概略的に示している。この装置200では、複数のＬＥＤアレイ201、例えば図２Ａと２Ｂに示されているようなＬＥＤアレイはハウジング205中の複数の反射器装置203に対向して取付けられている。ＬＥＤアレイ201はＬＥＤにより発生される熱が正確に除去されることを確実にするためヒートシンク上に取付けられることができる。
【００５３】
さらに、装置200は照明装置、即ちＬＥＤアレイ201とハウジング205をカバーするキャップ209を具備している。キャップ209と組合わせたハウジング205は実効的に密封された装置を形成する。ブラケット211は外部支持体またはランプポスト213への装置200の接続を可能にする。
【００５４】
前述の説明では、第２の波長領域において実質的にモノクロの光を参照している。表現「実質的にモノクロの光」は放射される光のピーク波長を指すことを理解しなければならない。したがって前述の実質的にモノクロの光のピーク波長はある波長領域中に存在する。
【００５５】
本発明を前述のある実施形態を参照して説明した。これらの実施形態は当業者によく知られている種々の変形および別の形態を受けやすいことが認識されよう。
以下に、本願出願時の特許請求の範囲に記載された発明を付記する。
[１]  薄明視状態下で領域を照明するための照明装置において、
第１の波長領域で実質的にモノクロ光を放射する１以上のＬＥＤと、
第２の波長領域で実質的にモノクロ光を放射する１以上のＬＥＤとを具備し、
それらのＬＥＤは使用において、照明装置により与えられる光が２よりも大きいＳ／Ｐ比を有するように構成されている照明装置。
[２]  照明装置は２．３よりも大きいＳ／Ｐ比を有している前記[１]記載の照明装置。
[３]  照明装置は２．５よりも大きいＳ／Ｐ比を有している前記[１]記載の照明装置。
[４]  第１の波長領域は５００−５２５ｎｍの範囲を有し、第２の波長領域は６００−６２５ｎｍの範囲を有している前記[１]乃至[３]のいずれか１項記載の照明装置。
[５]  第１の波長領域は５００−５２５ｎｍの範囲を有し、第２の波長領域は６００−６４０ｎｍの範囲を有している前記[１]乃至[３]のいずれか１項記載の照明装置。
[６]  使用において第１の波長領域で放射された光と第２の波長領域で放射された光との組合せは０．２９０と０．３３０との間の色度のｘ座標と０．５５０と０．５９０との間の色度のｙ座標を有する光を生成する前記[１]乃至[５]のいずれか１項記載の照明装置。
[７]  使用において、第１の波長領域で放射された光と第２の波長領域で放射された光との組合せは０．３８５と０．４２５との間の色度のｘ座標と０．４９０と０．５３０との間の色度のｙ座標を有する光を生成する前記[１]乃至[５]のいずれか１項記載の照明装置。
[８]  使用において、第１の波長領域で放射された光の光強度と第２の波長領域で放射された光の光強度との比は３：２である前記[１]乃至[５]のいずれか１項記載の照明装置。
[９]  使用において、第１の波長領域で放射された光の光強度は第２の波長領域で放射された光の光強度に等しい前記[１]乃至[５]のいずれか１項記載の照明装置。
[１０]  Ｓ／Ｐ比は３．７よりも小さい前記[１]乃至[９]のいずれか１項記載の照明装置。
[１１]  装置はさらに第３の波長領域で実質的にモノクロの光を放射する１以上のＬＥＤを具備している前記[１]乃至[１０]のいずれか１項記載の照明装置。
[１２]  第３の波長領域は４６０−４９０ｎｍの範囲を有する前記[１１]記載の照明装置。
[１３]  使用において、第１の波長領域で放射された光と第２の波長領域で放射された光と第３の波長領域で放射された光との組合せは０．２２０と０．２６０との間の色度のｘ座標と０．３００と０．３４０との間の色度のｙ座標を有する光を生じる前記[１１]または[１２]記載の照明装置。
【図１】
0005437242.tif 000002
【図２】
0005437242.tif 000003
【図３】
0005437242.tif 000004
【図４】
0005437242.tif 000005
【図５】
0005437242.tif 000006
【図６】
0005437242.tif 000007
【図７】
0005437242.tif 000008
【図８】
0005437242.tif 000009
【図９】
0005437242.tif 000010
【図１０】
0005437242.tif 000011